(57)【要約】【課題】利用者の利便性を損なうことなく、セキュリティを高めることができ、第三者による不正使用を未然に防止することができる非接触ＩＣ機能を搭載する携帯端末装置を提供すること。【解決手段】携帯電話機１００は、外部リーダ／ライタ２００との間で非接触通信を行うFeliCa ＩＣモジュール１９０と、携帯電話機１００本体の傾きを検出する傾きセンサ１６０と、携帯電話機１００本体とFeliCa ＩＣモジュール１９０とに個別に電源供給する電源ＩＣ１８０とを備え、制御部１１０は、携帯電話機１００本体の傾きが、水平方向（外部リーダ／ライタ２００に携帯電話機１００をかざす位置）より所定以上傾いているときは、ユーザがFeliCa ＩＣモジュール１９０を使用しない状況にあると判断して、FeliCa ＩＣモジュール１９０への電源供給を停止する非接触ＩＣセキュリティ制御を行う。【選択図】図１
2008092304.tif 000002
【特許請求の範囲】
【請求項１】
外部リーダ／ライタとの間で非接触通信を行う非接触通信手段と、
ユーザの使用状況を検出する検出手段と、
装置本体と前記非接触通信手段とに個別に電源供給する電源供給手段と、
検出されたユーザの使用状況情報に基づいて、該ユーザが前記非接触通信手段を使用しない状況にあることを判定したとき、前記非接触通信手段への電源供給を停止する制御手段と
を備える携帯端末装置。
【請求項２】
前記検出手段は、前記装置本体の傾きを検出する傾きセンサ、前記装置本体外周部の光量変化を検出する光量センサ、前記装置本体への接触を検出する接触センサ、前記装置本体外周部の温度変化を検出する温度センサの少なくともいずれか１つ、又はこれらのセンサの組み合わせである請求項１記載の携帯端末装置。
【請求項３】
前記検出手段は、前記装置本体の傾きを検出する傾きセンサであり、
前記制御手段は、前記傾きセンサにより検出された前記装置本体の傾きが、前記外部リーダ／ライタに対して、リード／ライトのため前記装置本体をかざす傾きより所定以上傾いているときは、前記非接触通信手段への電源供給を停止する請求項１記載の携帯端末装置。
【請求項４】
前記制御手段は、前記判定結果に従って、前記非接触通信手段への電源供給後、一定時間経過したとき、前記非接触通信手段への電源供給を停止する請求項１記載の携帯端末装置。
【請求項５】
前記制御手段は、前記判定結果に従って、前記非接触通信手段への電源供給後、前記外部リーダ／ライタとのやり取りが完了したとき、前記非接触通信手段への電源供給を停止する請求項１記載の携帯端末装置。
【発明の詳細な説明】
【技術分野】
【０００１】
本発明は、外部リーダ／ライタとの間で非接触通信を行う非接触ＩＣ機能を搭載する携帯電話機等の通信端末装置に関する。
【背景技術】
【０００２】
携帯電話機は、通話機能に加えて、ネット接続機能、カメラ撮影機能等の種々の機能が追加され、多機能化が進んでいる。多機能化のなかで非接触ＩＣ機能を搭載した携帯電話機が提案されている。例えば、特許文献１には、非接触ＩＣカードのアンテナモジュールを装着した携帯電話機が開示されている。
【０００３】
非接触ＩＣカードは、ＩＣカードリーダ／ライタにより発せられる電波をアンテナコイルによる電磁誘導で電力供給に利用し動作するものである。非接触ＩＣカードは、電波という媒体を介して電力供給を受ける関係で常時安定な電力を受けられるとは限らない。安定した電力供給を図るために二次電池あるいはコンデンサやバッテリなどの外部電源を装備する非接触ＩＣカードがすでに提案されている。また、非接触ＩＣチップには、例えばFeliCa（登録商標）  ＩＣモジュールがある。
【０００４】
FeliCa  ＩＣモジュールなどの非接触ＩＣ機能を搭載する携帯電話機が、プリペイドカードやクレジットカード、公共交通機関のチケットなどの金銭価値をともなうアプリケーションに利用される場合、その利用者が当該ＩＣカードの所有者本人であることを確認するための本人認証を行えることが望ましい。例えば、特許文献２には、ＩＣカード機能利用に先立って暗証番号（パスワード又はＰＩＮ：Personal Identifier Number）の入力を受け付け本人認証を行う携帯電話機が開示されている。また、特許文献３には、指紋センサ等の生体情報により本人確認を行う携帯端末装置が開示されている。
【特許文献１】特開２００２−２１８０３１号公報
【特許文献２】特開２００３−１６３９８号公報
【特許文献３】特開２００３−２７１９３７号公報
【発明の開示】
【発明が解決しようとする課題】
【０００５】
現在、非接触ＩＣ機能を搭載する携帯端末装置にあっては、非接触ＩＣ機能部には、携帯端末装置の電源ＯＮ／ＯＦＦとは関係なくバッテリから電源供給されている。これによって、非接触ＩＣ機能を搭載する携帯端末装置の電源がＯＦＦになっていても、非接触ＩＣ機能部が外部リーダ／ライタ（例えば、コンビニエンスストアのレジ近傍に設置）からの電力供給を受けて非接触による通信動作が行われ、認証確認後に決済などの使用が可能になる。
【０００６】
しかし、非接触ＩＣ機能部に常時電源が供給されていることで、以下の問題が発生する。
【０００７】
非接触ＩＣ機能を搭載する携帯端末装置が、例えば携帯電話機である場合、本人がポケットなどに入れて身体に着けていることが多いが、バックなどに入れたままにしておくことも多い。この携帯電話機をトートバックなど生地の薄いバックに入れておいた場合、非接触ＩＣ機能部に常時電源が供給されていることで、バックの外から非接触ＩＣ機能部に対し通信動作を行うことは可能である。もし、不正使用者が密かにバックの外から非接触ＩＣ機能部と通信動作を行い、スキミングによって情報を盗み取ると、不正使用者による非接触ＩＣ機能の不正使用を防止することができない。本人の知らないうちに非接触ＩＣ機能の不正使用と情報の流失が生じるおそれがある。ＩＣカードなどについては、不正使用防止のための生体認証（指紋認証，アイリス，手静脈認証など）が併用され、また、利用者への不正使用の意識高揚によってスキミングなどの不正使用の危険性が周知されつつあるが、携帯電話機の非接触ＩＣ機能の不正使用対策については全くの無防備である。以上は、非接触ＩＣ機能を搭載する携帯電話機をバックに入れた場合についての例であるがポケットなどに入れておいた場合にも同様である。
【０００８】
このように、誰にとっても身近な携帯電話機に、非接触で通信動作が可能な非接触ＩＣ機能が常時動作可能状態で搭載されていることに問題がある。また、その危険性について認知されていないことが危険性をさらに助長する。十分な安全対策が採ることが求められている。
【０００９】
勿論、非接触ＩＣ機能部に常時通電するのではなく必要なときのみ通電することも考えられる。しかし、この場合、そのための設定はユーザが行う必要があり、非接触ＩＣ機能を使用しようとするたびに非接触ＩＣ機能部の電源を入れる操作をしなくてはならない。これでは、非接触ＩＣ機能を搭載する携帯端末装置をリーダ／ライタ装置に近づけるだけで所期の動作が行えるという非接触ＩＣ機能本来の利便性を減殺してしまうことになる。
【００１０】
本発明は、かかる点に鑑みてなされたものであり、利用者の利便性を損なうことなく、セキュリティを高めることができ、第三者による不正使用を未然に防止することができる非接触ＩＣ機能を搭載する携帯端末装置を提供することを目的とする。
【課題を解決するための手段】
【００１１】
本発明の携帯端末装置は、外部リーダ／ライタとの間で非接触通信を行う非接触通信手段と、ユーザの使用状況を検出する検出手段と、装置本体と前記非接触通信手段とに個別に電源供給する電源供給手段と、検出されたユーザの使用状況情報に基づいて、該ユーザが前記非接触通信手段を使用しない状況にあることを判定したとき、前記非接触通信手段への電源供給を停止する制御手段とを備える構成を採る。
【発明の効果】
【００１２】
本発明によれば、利用者の利便性を損なうことなく、セキュリティを高めることができ、第三者による不正使用を未然に防止することができる。
【発明を実施するための最良の形態】
【００１３】
以下、本発明の実施の形態について図面を参照して詳細に説明する。
【００１４】
（実施の形態１）
図１は、本発明の実施の形態１の携帯端末装置の概略構成を示すブロック図である。本実施の形態の携帯端末装置は、非接触ＩＣ機能としてFeliCa ＩＣを搭載する携帯電話機／ＰＨＳ（Personal Handy-Phone System）に適用した例である。
【００１５】
図１において、携帯電話機１００は、制御部１１０、記憶メモリ１２０、入力部１３０、表示部１４０、無線通信部１５０、傾きセンサ１６０、電池パック１７０、電源ＩＣ１８０、及びFeliCa ＩＣモジュール１９０を備えて構成される。FeliCa ＩＣモジュール１９０は、外部リーダ／ライタ２００から発信される電波を受け取り外部リーダ／ライタ２００との間で近距離双方向通信（例えば、１３．５６ＭＨｚ，１００〜４００ｋｂｐｓ）を行う。
【００１６】
制御部１１０は、ＣＰＵからなり携帯電話機１００全体を制御するとともに、傾きセンサ１６０からの検出結果に基づいて、ユーザがFeliCa ＩＣモジュール１９０を使用しない状況にあることを判定した場合、電源ＩＣ１８０からFeliCa ＩＣモジュール１９０への電源供給を停止する制御を行う。
【００１７】
記憶メモリ１２０は、制御プログラムや固定データ等を記憶するＲＯＭ，ＣＰＵの作業用記憶領域であるＲＡＭ等の半導体メモリ及びハードディスクなどからなり受信又は入力された文字情報，画像情報，音声信号を記憶する。ＲＯＭは、制御部１１０が動作する際に必要なプログラム、通信制御データ等の固定データを記憶する読出し専用の半導体メモリである。ＲＡＭは、表示や通信に関するデータ、演算に使用するデータ及び演算結果等を一時的に記憶するいわゆるワーキングメモリとして使用される。携帯電話機１００で処理されるプログラムは、このＲＡＭに展開されて実行される。また、ＲＡＭの一部は、電気的に書換可能な不揮発性メモリであるＥＥＰＲＯＭ（electrically erasable programmable ROM）からなり、ＥＥＰＲＯＭに書き込むプログラムを変えることによって、特に携帯電話機１００における各種の仕様を変更することができる。
【００１８】
入力部１３０は、電話機能キー、十字キー、モードキー，ダイヤルキーなどからなり、ユーザ操作によるデータを入力する。
【００１９】
表示部１４０は、ドットマトリクス構成のカラー表示可能なＬＣＤディスプレイ，ＥＬ（Electro Luminescence）、白色ＬＥＤバックライト及び各ドライバ等で構成され、受信情報，画像やテキスト情報などの情報をカラー表示する。
【００２０】
無線通信部１５０は、携帯電話機１００の無線通信の送受信を制御する。
【００２１】
傾きセンサ１６０は、携帯電話機１００本体の傾きを検出する。例えば、傾きセンサ１６０として携帯電話機１００にかかる重力の向き（すなわち、鉛直線）を基準とする重力の方向に対する携帯電話機本体の傾きを検出する重力センサを用いる。傾きセンサ１６０は、携帯電話機本体がほぼ水平に置かれていることを検出できればよく、ジャイロセンサなどの複雑高価なセンサを使用する必要はない。
【００２２】
本実施の形態では、ユーザの使用状況を検出する検出手段として、携帯電話機１００本体の傾きを検出する傾きセンサを用いた例であるが、装置本体外周部の光量変化を検出する光量センサ、ユーザの装置本体への接触を検出する接触センサ、装置本体外周部の温度変化を検出する温度センサなどを用いてユーザの使用状況を検出することも可能である。例えば、光量センサを設置し周囲の明るさが変わった時などの変化を検出して携帯電話機１００本体がバック等に収納されたことを検出する。あるいは、接触センサを設置してユーザが携帯電話機１００本体を手で持っていることを検出する。また、温度センサを設置して手に持っている部分の温度変化を検出してユーザの手持ちを検出することも可能である。この場合、傾きセンサと光量センサなど異なる種類のセンサを組み合わせればより詳細にユーザの使用状況を検出することができる。
【００２３】
電源ＩＣ１８０は、電池パック１７０から携帯電話機用電源及びFeliCa ＩＣ用電源を生成し、携帯電話機１００の各部とFeliCa ＩＣモジュール１９０とに個別に供給する。また、電源ＩＣ１８０は、動作電圧の異なる携帯電話機１００の制御部１１０とFeliCa ＩＣモジュール１９０を接続する電圧変換のインターフェース（ＩＦ）１８０ａを備え、ＩＦ１８０ａを介して、制御部１１０とFeliCa ＩＣモジュール１９０間の制御線を接続する。
【００２４】
FeliCa ＩＣモジュール１９０は、外部リーダ／ライタ２００とデータとデータのアクセスをする。FeliCa ＩＣカードは、不揮発メモリと無線通信チップを内蔵した樹脂製のカードで、読み取り装置にかざすだけで料金の精算などのデータのやり取りができる。FeliCa ＩＣモジュール１９０は、このFeliCa ＩＣカードをチップ化したモジュールであり、FeliCa ＩＣモジュール１９０は、外部リーダ／ライタ２００から発信される電波で電力を受け取ってデータをアクセスする。FeliCa ＩＣモジュール１９０内にはバッテリ電源を持たず、電源ＩＣ１８０からFeliCaＩＣ用電源の供給を受ける。
【００２５】
以下、上述のように構成された携帯端末装置の動作を説明する。
【００２６】
携帯電話機１００が、非接触ＩＣ機能として搭載するFeliCa ＩＣモジュール１９０は、次の４つのモード機能(1)〜(4)を持つ。
【００２７】
(1)無線カード機能
携帯電話機１００が、FeliCaカードとして動作し、外部リーダ／ライタ２００とFeliCaシステムで通信する機能である。この機能は、外部リーダ／ライタ２００からの搬送波を検出して起動した場合に有効になる。携帯電話機１００とは独立に動作するため、ホストＣＰＵである制御部１１０からの制御は不要である。携帯電話機１００側の電源がＯＮでなくても動作する。
【００２８】
(2)有線通信機能
携帯電話機１００の制御部１１０が有線インターフェース（例えば、ＵＡＲＴ）を通じてFeliCa ＩＣモジュール１９０内のサービス用メモリにアクセスする機能である。外部へのアクセスは行わない。
【００２９】
(3)三者間通信機能
携帯電話機１００の制御部１１０と外部リーダ／ライタ２００間で通信を行う機能である。携帯電話機１００の制御部１１０がアプリケーションソフトを実行し、FeliCa機能を用いて、外部リーダ／ライタ２００間で各種データの授受を行う。
【００３０】
(4)リーダ／ライタ機能
携帯電話機１００がリーダ／ライタとして動作する機能である。
【００３１】
上記モード機能(1)〜(4)の中で、保護を必要とするのは、(1)無線カード機能である。この無線カード機能は、外部リーダ／ライタ２００からの搬送波を検出して起動するため、不正アクセスによるデータ流出の可能性がある。例えば、外部リーダ／ライタ２００が不正使用者による鞄などの外からのスキミングである場合、FeliCa ＩＣモジュール１９０はこの不正使用外部リーダ／ライタ２００によって動作しデータを読み取られ書き換えられる可能性がある。
【００３２】
図２は、電池電圧とFeliCa動作可能状態との関係を表にして示す図である。図２中、ＬＶＡ（ローバッテリアラーム電圧）は、携帯電話機１００の動作電圧の下限（約３．２Ｖ程度）である。また、FeliCa ＩＣモジュール１９０の動作電圧の下限を２．８Ｖ、電源ＩＣ１８０内のレギュレータの電圧降下を０．１Ｖと仮定することで、電池電圧判定値は、上記ＬＡＶと２．９Ｖとしている。また、携帯電話機１００側の電源のＯＮ／ＯＦＦ状態には依存しない。
【００３３】
図２の表に示すように、電池電圧が動作可能状態ＬＶＡ以上（電池装着かつ外部電源供給を含む）のときは、全ての機能（無線カード機能、有線通信機能、三者間通信機能、リーダ／ライタ機能）が動作可能である。
【００３４】
電池電圧がＬＶＡ未満で、２．９Ｖ超のときは、FeliCa ＩＣ用電源が出力され、無線カード機能のみ動作可能な状態とし、有線通信機能は動作させない。
【００３５】
２．９Ｖ以下及び電池未装着のときは、全ての機能を動作させない。
【００３６】
電池未装着で、外部電源が供給されている状態では、無線カード機能及び有線通信機能を動作させない。これは、ユーザに対して、電池無しの状態では携帯電話システムとして動作を停止する仕様に統一することを意図する。
【００３７】
本実施の形態は、電池電圧が、FeliCa ＩＣモジュール１９０が動作する２．９Ｖ以上の場合、携帯電話機１００の利用状況によっては、FeliCa ＩＣモジュール１９０の電源を自動的にＯＦＦにする。
【００３８】
図３は、携帯電話機１００の傾きを検出してFeliCa ＩＣモジュール１９０の電源をＯＮ／ＯＦＦする非接触ＩＣセキュリティ制御動作を示すフローチャートであり、制御部１１０のＣＰＵにより所定タイミングで繰り返し実行される。図中Ｓはフローの各ステップを示す。
【００３９】
電池容量のある電池パック１７０装着により本フローがスタートし（ステップＳ１）、ステップＳ２で電池パック１７０の電池電圧を検出する。電池電圧が携帯電話機１００の動作電圧の下限（３．２Ｖ）以上のときは、全ての機能（無線カード機能、有線通信機能、三者間通信機能、リーダ／ライタ機能）が動作可能であり、携帯端末装置１００本体電源をＯＮ／ＯＦＦすることができる（ステップＳ３）。２．９Ｖ以上で３．２Ｖ未満のときは、電源ＩＣ１８０からFeliCa ＩＣ用電源が出力され、FeliCa ＩＣモジュール１９０による無線カード機能のみ動作可能な状態である。携帯端末装置１００本体電源は、ＯＦＦで有線通信機能は動作させない（ステップＳ４）。この場合の携帯端末装置１００本体電源ＯＦＦは、携帯電話機１００の携帯電話としての通信機能部や前記有線通信機能部への電源供給ＯＦＦであり、本フローを実行するための制御部１１０への通電は保たれている。消費電力を節約するため本フローの実行タイミングはできるだけ少ないことが好ましい。
【００４０】
２．９Ｖ未満のときは、ステップＳ５で携帯電話機１００本体電源をＯＦＦし、ステップＳ６でFeliCa ＩＣモジュール１９０の電源もＯＦＦする。すなわち、２．９Ｖ未満のときは、FeliCa ＩＣモジュール１９０を含む全ての携帯電話機１００の機能を動作させない。２．９Ｖ未満のときは、FeliCa ＩＣモジュール１９０への電源供給がＯＦＦされるので、不正アクセスによるデータ流出は生じない。
【００４１】
上記ステップＳ３又は上記ステップＳ４では、FeliCa ＩＣモジュール１９０は、携帯電話機１００本体電源のＯＮ／ＯＦＦとは独立して、電源ＩＣ１８０からのFeliCa ＩＣ用電源供給を受けている。このため、外部リーダ／ライタ２００からのアクセスを受ける状態にあり、不正アクセスによるデータ流出の可能性がある場合である。
【００４２】
ステップＳ７では、本非接触ＩＣセキュリティ制御が設定されているか否かを判別し、非接触ＩＣセキュリティ制御が非設定であれば、ステップＳ８でFeliCa ＩＣモジュール１９０へのFeliCa ＩＣ用電源供給を継続（FeliCa ＩＣ用電源ＯＮ）して上記ステップＳ２に戻る。
【００４３】
上記ステップＳ７で非接触ＩＣセキュリティ制御が設定されていれば、ステップＳ９で傾きセンサ１６０からの傾き検出出力を基に、携帯電話機１００本体が水平状態にあるか否かを判別する。通常、携帯電話機１００のユーザは、本体を手で持ち外部リード／ライタ２００に対して概ね水平方向にかざすことで、外部リード／ライタ２００との間でFeliCaシステム通信を行う。すなわち、外部リード／ライタ２００は、携帯電話機１００本体に対して水平方向で非接触ＩＣ（ここではFeliCa ＩＣモジュール１９０）の情報を読み取る。一方で、携帯電話機１００は、ポケットや鞄に入れて移動する場合が多い。この場合は、携帯電話機１００本体は、概ね垂直方向（非水平方向）である。したがって、携帯電話機１００本体が傾いて水平状態にないときは、ユーザが無線カード機能を使用することは想定されず、FeliCaカードによる無線カード機能は停止しても差し支えない。
【００４４】
上記ステップＳ９で傾きセンサ１６０により携帯電話機１００本体の傾きを検出し、携帯電話機１００本体が水平状態にあるときは、ステップＳ１０でFeliCa ＩＣモジュール１９０へのFeliCa ＩＣ用電源供給を継続（FeliCa ＩＣ用電源ＯＮ）して上記ステップＳ２に戻る。上記ステップＳ９で携帯電話機１００本体が水平状態にないときは、ステップＳ１１でFeliCa ＩＣモジュール１９０へのFeliCa ＩＣ用電源供給を遮断（FeliCa ＩＣ用電源ＯＦＦ）して上記ステップＳ２に戻る。このように、携帯電話機１００の傾きに連動して、FeliCa ＩＣモジュール１９０への電源供給がＯＮ／ＯＦＦされる。
【００４５】
以上のように、本実施の形態によれば、携帯電話機１００は、外部リーダ／ライタ２００との間で非接触通信を行うFeliCa ＩＣモジュール１９０と、携帯電話機１００本体の傾きを検出する傾きセンサ１６０と、携帯電話機１００本体とFeliCa ＩＣモジュール１９０とに個別に電源供給する電源ＩＣ１８０とを備え、制御部１１０は、携帯電話機１００本体の傾きが、水平方向（外部リーダ／ライタ２００に携帯電話機１００をかざす位置）より所定以上傾いているときは、ユーザがFeliCa ＩＣモジュール１９０を使用しない状況にあると判断して、FeliCa ＩＣモジュール１９０への電源供給を停止する非接触ＩＣセキュリティ制御を行うので、ユーザが携帯電話機１００をバックやポケットなどに入れておいた場合など、非接触ＩＣ機能を使用することがない状況では、FeliCa ＩＣモジュール１９０の動作は停止する。これにより、不正使用者が密かにバック等の外から非接触ＩＣ機能部と通信動作を行い、スキミングによって情報を盗み取る可能性が排除され、不正使用者による非接触ＩＣ機能の不正使用を未然に防止することができる。したがって、利用者の利便性を損なうことなく、セキュリティを高めることができ、第三者による不正使用を未然に防止することができる。
【００４６】
（実施の形態２）
本発明の実施の形態２の携帯端末装置のハード構成図は、図１と同様であるため、説明を省略する。
【００４７】
図４は、本発明の実施の形態２の携帯端末装置の非接触ＩＣセキュリティ制御動作を示すフローチャートである。図３に示すフローと同一処理を行うステップには同一ステップ番号を付している。
【００４８】
電池容量のある電池パック１７０装着により本フローがスタートし（ステップＳ１）、ステップＳ２で電池パック１７０の電池電圧を検出する。電池電圧が携帯電話機１００の動作電圧の下限（３．２Ｖ）以上のときは、全ての機能（無線カード機能、有線通信機能、三者間通信機能、リーダ／ライタ機能）が動作可能であり、携帯端末装置１００本体電源をＯＮ／ＯＦＦすることができる（ステップＳ３）。２．９Ｖ以上で３．２Ｖ未満のときは、電源ＩＣ１８０からFeliCa ＩＣ用電源が出力され、FeliCa ＩＣモジュール１９０による無線カード機能のみ動作可能な状態である。携帯端末装置１００本体電源は、ＯＦＦで有線通信機能は動作させない（ステップＳ４）。この場合の携帯端末装置１００本体電源ＯＦＦは、携帯電話機１００の携帯電話としての通信機能部や前記有線通信機能部への電源供給ＯＦＦであり、本フローを実行するための制御部１１０への通電は保たれている。消費電力を節約するため本フローの実行タイミングはできるだけ少ないことが好ましい。
【００４９】
２．９Ｖ未満のときは、ステップＳ５で携帯電話機１００本体電源をＯＦＦし、ステップＳ６でFeliCa ＩＣモジュール１９０の電源もＯＦＦする。すなわち、２．９Ｖ未満のときは、FeliCa ＩＣモジュール１９０を含む全ての携帯電話機１００の機能を動作させない。２．９Ｖ未満のときは、FeliCa ＩＣモジュール１９０への電源供給がＯＦＦされるので、不正アクセスによるデータ流出は生じない。
【００５０】
上記ステップＳ３又は上記ステップＳ４では、FeliCa ＩＣモジュール１９０は、携帯電話機１００本体電源のＯＮ／ＯＦＦとは独立して、電源ＩＣ１８０からのFeliCa用電源供給を受けている。このため、外部リーダ／ライタ２００からのアクセスを受ける状態にあり、不正アクセスによるデータ流出の可能性がある場合である。
【００５１】
ステップＳ７では、本非接触ＩＣセキュリティ制御が設定されているか否かを判別し、非接触ＩＣセキュリティ制御が非設定であれば、ステップＳ８でFeliCa ＩＣモジュール１９０へのFeliCa ＩＣ用電源供給を継続（FeliCa ＩＣ用電源ＯＮ）して上記ステップＳ２に戻る。
【００５２】
上記ステップＳ７で非接触ＩＣセキュリティ制御が設定されていれば、ステップＳ９で傾きセンサ１６０からの傾き検出出力を基に、携帯電話機１００本体が水平状態にあるか否かを判別する。
【００５３】
上記ステップＳ９で携帯電話機１００本体が水平状態にないときは、ステップＳ１１でFeliCa ＩＣモジュール１９０へのFeliCa ＩＣ用電源供給を遮断（FeliCa ＩＣ用電源ＯＦＦ）して上記ステップＳ２に戻る。
【００５４】
一方、上記ステップＳ９で携帯電話機１００本体が水平状態にあるときは、ステップＳ１０でFeliCa ＩＣモジュール１９０へのFeliCa ＩＣ用電源供給を継続（FeliCa ＩＣ用電源ＯＮ）し、ステップＳ２１でタイマーを起動して一定時間を計時する。次いで、ステップＳ２２で一定時間計時後にFeliCa ＩＣモジュール１９０へのFeliCa ＩＣ用電源供給を遮断（FeliCa ＩＣ用電源ＯＦＦ）して上記ステップＳ２に戻る。このように、携帯電話機１００本体が水平状態にある場合であっても一定時間が経つとFeliCa ＩＣ用電源をＯＦＦする。上記一定時間は、FeliCa通信が完了するまでの時間（例えば２，３秒）である。
【００５５】
このように、本実施の形態によれば、携帯電話機１００の傾きに連動して、FeliCa ＩＣモジュール１９０への電源供給がＯＮ／ＯＦＦされるので、実施の形態１と同様に、利用者の利便性を損なうことなく、セキュリティを高めることができ、第三者による不正使用を未然に防止することができる。
【００５６】
また、本実施の形態では、判定結果に従って、FeliCa ＩＣモジュール１９０への電源供給後一定時間経過すると、FeliCa ＩＣモジュール１９０への電源供給を停止するので、よりセキュリティを高めることができ、更なる不正使用防止効果を期待できる。ここで、FeliCa ＩＣモジュール１９０を使用する場合は、携帯電話機１００本体を、一旦水平⇔垂直と振るようにすればよい。
【００５７】
なお、本実施の形態では、一定時間経過後にFeliCa ＩＣモジュール１９０への電源供給を停止する例について説明したが、この制御に加えて、あるいは代えてFeliCa通信が完了するまでの時間ＯＮし、完了後ＯＦＦすることも可能であり、同様のセキュリティ向上効果を得ることができる。
【００５８】
（実施の形態３）
実施の形態１，２では、携帯電話機のホストＣＰＵが非接触ＩＣセキュリティ制御動作を行う例について説明した。非接触ＩＣセキュリティ制御は、制御機能を持つインテリジェント電源ＩＣが行う態様でもよい。以下、この例を実施の形態３により説明する。
【００５９】
図５は、本発明の実施の形態３の携帯端末装置の概略構成を示すブロック図である。図１と同一構成部分には同一符号を付して重複箇所の説明を省略する。
【００６０】
図５において、携帯電話機１００Ａは、制御部１１０Ａ、記憶メモリ１２０、入力部１３０、表示部１４０、無線通信部１５０、傾きセンサ１６０、電池パック１７０、インテリジェント電源ＩＣ３００、及びFeliCa ＩＣモジュール１９０を備えて構成される。FeliCa ＩＣモジュール１９０は、外部リーダ／ライタ２００とデータのアクセスをする。
【００６１】
インテリジェント電源ＩＣ３００は、電源電圧を生成する電源ＩＣとしての機能のほか、マイクロプロセッサ等からなる制御部３１０を搭載し、制御部３１０が電源電圧供給制御を実行する。また、インテリジェント電源ＩＣ３００は、動作電圧の異なる携帯電話機１００Ａの制御部１１０ＡとFeliCa ＩＣモジュール１９０を接続する電圧変換のインターフェース（ＩＦ）３００ａを備え、ＩＦ３００ａを介して、制御部１１０ＡとFeliCa ＩＣモジュール１９０間の制御線を接続する。
【００６２】
本実施の形態では、傾きセンサ１６０の傾き検出結果は、インテリジェント電源ＩＣ３００に入力され、インテリジェント電源ＩＣ３００の制御部３１０が、非接触ＩＣセキュリティ制御を実行する。
【００６３】
インテリジェント電源ＩＣ３００の制御部３１０による非接触ＩＣセキュリティ制御は、図３及び図４のフローとほぼ同様であるため説明を省略する。但し、実施の形態１，２では、携帯電話機１００本体電源ＯＦＦの場合であっても、実際はフローを実行するための制御部１１０への通電は保たれていた。本実施の形態では、インテリジェント電源ＩＣ３００の制御部３１０が、電源ＯＮ／ＯＦＦ制御を行うので、携帯電話機１００Ａ本体電源を完全にＯＦＦすることができる。
【００６４】
したがって、本実施の形態によれば、携帯電話機１００Ａの傾きに連動して、インテリジェント電源ＩＣ３００が、FeliCa ＩＣモジュール１９０への電源供給をＯＮ／ＯＦＦするので、実施の形態１，２と同様に、利用者の利便性を損なうことなく、セキュリティを高めることができ、第三者による不正使用を未然に防止することができる。また、本実施の形態では、携帯電話機１００Ａ本体電源を完全にＯＦＦすることができる。インテリジェント電源ＩＣ３００の制御部３１０は、携帯電話機１００Ａの制御部１１０Ａよりも低消費電力であるため、携帯電話機１００Ａ本体機能を使用しない場合において、より省電力効果を期待できる。
【００６５】
以上の説明は本発明の好適な実施の形態の例証であり、本発明の範囲はこれに限定されることはない。例えば、携帯端末装置として携帯電話機に適用した例について説明しているが、携帯電話機に限らずＰＤＡ（Personal Digital Assistants）等の携帯情報端末や非接触ＩＣ機能を持つポータブル音響・映像機器、ポータブルゲーム機、パーソナルコンピュータ又はその融合された装置に適用可能である。
【００６６】
また、非接触ＩＣ機能としてFeliCa ＩＣモジュールを例に説明したが、FeliCa ＩＣシステム以外であってもよく、携帯端末装置に搭載可能な非接触ＩＣ機能にはすべて適用できる。
【００６７】
また、図１乃至図５の構成及び動作例は一例であり、どのような構成及び動作例でも構わない。例えば、傾きセンサに代えて光量センサなど他のセンサでもよい。また、外部リーダ／ライタ２００に携帯電話機１００，１００Ａをかざす場合、外部リーダ／ライタ２００に対し携帯電話機１００，１００Ａを水平方向にかざす場合が一般的であると想定されるが、水平方向以外の傾きであってもよいことは言うまでもない。
【００６８】
また、本実施の形態では携帯端末装置、及び携帯電話機という名称を用いたが、これは説明の便宜上であり、携帯端末、電源制御方法等であってもよいことは勿論である。
【００６９】
さらに、上記携帯電話機を構成する各回路部、例えば電源ＩＣ等の種類、数及び接続方法などは前述した実施の形態に限られない。
【００７０】
また、以上説明した携帯端末装置は、電子回路のほか、この携帯端末装置を機能させるためのプログラムでも実現される。このプログラムはコンピュータで読み取り可能な記録媒体に格納されている。
【産業上の利用可能性】
【００７１】
本発明に係る携帯端末装置は、非接触ＩＣ機能付き携帯電話機などの携帯端末装置、携帯用電子機器の用途に有用である。また、電源制御プログラムとして携帯電話機などの電子機器に組み込むことも可能である。
【図面の簡単な説明】
【００７２】
【図１】本発明の実施の形態１の携帯端末装置の概略構成を示すブロック図
【図２】上記実施の形態１に係る携帯端末装置の電池電圧とFeliCa動作可能状態との関係を表にして示す図
【図３】上記実施の形態１に係る携帯端末装置のFeliCa ＩＣモジュールの電源をＯＮ／ＯＦＦする非接触ＩＣセキュリティ制御動作を示すフロー図
【図４】本発明の実施の形態２に係る携帯端末装置のFeliCa ＩＣモジュールの電源をＯＮ／ＯＦＦする非接触ＩＣセキュリティ制御動作を示すフロー図
【図５】本発明の実施の形態３の携帯端末装置の概略構成を示すブロック図
【符号の説明】
【００７３】
１００，１００Ａ  携帯電話機（携帯端末装置）
１１０，１１０Ａ，３１０  制御部
１２０  記憶メモリ
１３０  入力部
１４０  表示部
１５０  無線通信部
１６０  傾きセンサ
１７０  電池パック
１８０  電源ＩＣ
１９０  FeliCa ＩＣモジュール
２００  外部リーダ／ライタ
３００  インテリジェント電源ＩＣ
【図１】
2008092304.tif 000003
【図２】
2008092304.tif 000004
【図３】
2008092304.tif 000005
【図４】
2008092304.tif 000006
【図５】
2008092304.tif 000007